(57)【特許請求の範囲】
【請求項１】
車両に設置可能な複数の携帯端末と記憶部を備えるサーバとを有する画像管理システムであって、
前記複数の携帯端末のそれぞれは、
車両の車外画像を取得する画像取得部と、
前記車外画像、前記車外画像を取得した時刻及び位置を示す取得時刻情報及び取得位置情報、並びに前記車外画像を取得した携帯端末の取得端末識別情報を定期的に前記サーバに送信する画像送信部と、
イベントの発生を検出するイベント検出部と、
前記イベント検出部が、前記イベントの発生を検出した場合、前記イベントが発生した時刻を示す発生時刻情報及び前記イベントの発生を検出した検出端末識別情報を前記サーバに送信する端末時刻情報送信部と、を備え、
前記サーバは、
前記複数の携帯端末のそれぞれが送信した前記車外画像、前記取得時刻情報及び前記取得位置情報、並びに前記取得端末識別情報を定期的に受信するとともに、前記定期的に受信した各携帯端末の前記車外画像、前記取得時刻情報及び前記取得位置情報、並びに前記取得端末識別情報を前記記憶部に記憶する画像受信部と、
前記複数の携帯端末の内の特定の携帯端末が送信した前記発生時刻情報を受信するサーバ時刻情報受信部と、
前記複数の携帯端末の内、前記定期的に受信した各携帯端末の前記取得時刻情報及び前記取得位置情報、並びに前記取得端末識別情報に基づいて、前記発生時刻情報に示される時刻において前記特定の携帯端末から所定範囲内に位置する前記特定の携帯端末以外の携帯端末を特定するサーバ特定部と、
前記定期的に受信した各携帯端末の前記車外画像、前記取得時刻情報及び前記取得位置情報、並びに前記取得端末識別情報に基づいて、前記発生時刻情報に示される時刻に、前記特定の携帯端末によって取得された前記車外画像、及び前記サーバ特定部が特定した携帯端末によって取得された前記車外画像を特定し、特定した車外画像を互いに関連付けて前記記憶部に記憶する記憶処理部と、を備える
ことを特徴とする画像管理システム。
【請求項２】
車両に設置可能な複数の携帯端末と、記憶部を備え、複数の基地局の何れかを介して前記携帯端末と接続されるサーバとを有する画像管理システムであって、
前記複数の携帯端末のそれぞれは、
前記複数の基地局に、各携帯端末の識別情報を含む位置登録要求を送信する要求送信部と、
車両の車外画像を取得する画像取得部と、
前記車外画像、前記車外画像を取得した時刻を示す取得時刻情報及び前記車外画像を取得した携帯端末の取得端末識別情報を前記サーバに送信する画像送信部と、
イベントの発生を検出するイベント検出部と、
前記イベント検出部が、前記イベントの発生を検出した場合、前記イベントが発生した時刻を示す発生時刻情報及び前記イベントの発生を検出した検出端末識別情報を前記サーバに送信する端末時刻情報送信部と、を備え、
前記複数の基地局のそれぞれは、
前記複数の携帯端末のいずれかが送信した前記位置登録要求を受信した場合、当該位置登録要求に含まれる携帯端末の識別情報を、各基地局がカバーするセル内に存在する携帯端末の識別情報として記憶する在圏記憶部を備え、
前記サーバは、
前記複数の基地局から定期的に、前記各基地局がカバーするセル内に存在する携帯端末の識別情報を受信する在圏端末受信部と、
前記各基地局に関連付けて、前記各基地局がカバーするセル内に存在する携帯端末の識別情報を前記記憶部に記憶する在圏端末記憶処理部と、
前記複数の携帯端末のそれぞれが送信した前記車外画像、前記取得時刻情報及び前記取得端末識別情報を受信する画像受信部と、
前記複数の携帯端末の内の特定の携帯端末が送信した前記発生時刻情報を受信するサーバ時刻情報受信部と、
前記各基地局がカバーするセル内に存在する携帯端末の識別情報に基づいて、前記複数の携帯端末の内、前記特定の携帯端末と同じ基地局のセルに在圏する前記特定の携帯端末以外の携帯端末を特定するサーバ特定部と、
前記取得時刻情報及び前記取得端末識別情報に基づいて、前記発生時刻情報に示される時刻に、前記特定の携帯端末によって取得された前記車外画像、及び前記サーバ特定部が特定した携帯端末によって取得された前記車外画像を特定し、特定した車外画像を互いに関連付けて前記記憶部に記憶する記憶処理部と、を備える
ことを特徴とする画像管理システム。
【請求項３】
前記イベント検出部は、加速度センサ、音声センサ、又は照度センサの出力値に基づいてイベントの発生を検出する、請求項１又は２に記載の画像管理システム。
【請求項４】
設置された車両の車外画像、前記車外画像を取得した時刻及び位置を示す取得時刻情報及び取得位置情報、並びに前記車外画像を取得した携帯端末の取得端末識別情報を定期的に送信し、イベントの発生を検出した場合に前記イベントが発生した時刻を示す発生時刻情報及び前記イベントの発生を検出した検出端末識別情報を送信する複数の携帯端末と接続するサーバであって、
記憶部と、
前記複数の携帯端末のそれぞれが送信した前記車外画像、前記取得時刻情報及び前記取得位置情報、並びに前記取得端末識別情報を定期的に受信するとともに、前記定期的に受信した各携帯端末の前記車外画像、前記取得時刻情報及び前記取得位置情報、並びに前記取得端末識別情報を前記記憶部に記憶する画像受信部と、
前記複数の携帯端末の内の特定の携帯端末が送信した前記発生時刻情報を受信するサーバ時刻情報受信部と、
前記複数の携帯端末の内、前記定期的に受信した各携帯端末の前記取得時刻情報及び前記取得位置情報、並びに前記取得端末識別情報に基づいて、前記発生時刻情報に示される時刻において前記特定の携帯端末から所定範囲内に位置する前記特定の携帯端末以外の携帯端末を特定するサーバ特定部と、
前記定期的に受信した各携帯端末の前記車外画像、前記取得時刻情報及び前記取得位置情報、並びに前記取得端末識別情報に基づいて、前記発生時刻情報に示される時刻に、前記特定の携帯端末によって取得された前記車外画像、及び前記サーバ特定部が特定した携帯端末によって取得された前記車外画像を特定し、特定した車外画像を互いに関連付けて前記記憶部に記憶する記憶処理部と、を備える
ことを特徴とするサーバ。
【請求項５】
複数の基地局に、各携帯端末の識別情報を含む位置登録要求を送信し、設置された車両の車外画像、前記車外画像を取得した時刻を示す取得時刻情報及び前記車外画像を取得した携帯端末の取得端末識別情報を送信し、イベントの発生を検出した場合に前記イベントが発生した時刻を示す発生時刻情報及び前記イベントの発生を検出した検出端末識別情報を送信する複数の携帯端末と、前記複数の携帯端末のいずれかが送信した前記位置登録要求を受信した場合、当該位置登録要求に含まれる携帯端末の識別情報を、各基地局がカバーするセル内に存在する携帯端末の識別情報として記憶する複数の基地局の何れかを介して接続するサーバであって、
記憶部と、
前記複数の基地局から定期的に、前記各基地局がカバーするセル内に存在する携帯端末の識別情報を受信する在圏端末受信部と、
前記各基地局に関連付けて、前記各基地局がカバーするセル内に存在する携帯端末の識別情報を前記記憶部に記憶する在圏端末記憶処理部と、
前記複数の携帯端末のそれぞれが送信した前記車外画像、前記取得時刻情報及び前記取得端末識別情報を受信する画像受信部と、
前記複数の携帯端末の内の特定の携帯端末が送信した前記発生時刻情報を受信するサーバ時刻情報受信部と、
前記各基地局がカバーするセル内に存在する携帯端末の識別情報に基づいて、前記複数の携帯端末の内、前記特定の携帯端末と同じ基地局のセルに在圏する前記特定の携帯端末以外の携帯端末を特定するサーバ特定部と、
前記取得時刻情報及び前記取得端末識別情報に基づいて、前記発生時刻情報に示される時刻に、前記特定の携帯端末によって取得された前記車外画像、及び前記サーバ特定部が特定した携帯端末によって取得された前記車外画像を特定し、特定した車外画像を互いに関連付けて前記記憶部に記憶する記憶処理部と、を備える
ことを特徴とするサーバ。
【請求項６】
前記イベントの発生は、前記携帯端末が備える、加速度センサ、音声センサ、又は照度センサの出力値に基づいて検出される、請求項４又は５に記載のサーバ。
【請求項７】
車両に設置可能な複数の携帯端末と記憶部を備えるサーバとを有する画像管理システムの画像管理方法であって、
前記複数の携帯端末のそれぞれは、
車両の車外画像を取得し、
前記車外画像、前記車外画像を取得した時刻及び位置を示す取得時刻情報及び取得位置情報、並びに前記車外画像を取得した携帯端末の取得端末識別情報を定期的に前記サーバに送信し、
イベントの発生を検出し、
前記イベントの発生が検出された場合、前記イベントが発生した時刻を示す発生時刻情報及び前記イベントの発生を検出した検出端末識別情報を前記サーバに送信し、
前記サーバは、
前記複数の携帯端末のそれぞれが送信した前記車外画像、前記取得時刻情報及び前記取得位置情報、並びに前記取得端末識別情報を定期的に受信し、
前記定期的に受信した各携帯端末の前記車外画像、前記取得時刻情報及び前記取得位置情報、並びに前記取得端末識別情報を前記記憶部に記憶し、
前記複数の携帯端末の内の特定の携帯端末が送信した前記発生時刻情報を受信し、
前記複数の携帯端末の内、前記定期的に受信した各携帯端末の前記取得時刻情報及び前記取得位置情報、並びに前記取得端末識別情報に基づいて、前記発生時刻情報に示される時刻において前記特定の携帯端末から所定範囲内に位置する前記特定の携帯端末以外の携帯端末を特定し、
前記定期的に受信した各携帯端末の前記車外画像、前記取得時刻情報及び前記取得位置情報、並びに前記取得端末識別情報に基づいて、前記発生時刻情報に示される時刻に、前記特定の携帯端末によって取得された前記車外画像、及び前記特定された携帯端末によって取得された前記車外画像を特定し、特定した車外画像を互いに関連付けて前記記憶部に記憶する
ことを含むことを特徴とする画像管理方法。
【請求項８】
車両に設置可能な複数の携帯端末と、記憶部を備え、複数の基地局の何れかを介して前記携帯端末と接続されるサーバとを有する画像管理システムの画像管理方法であって、
前記複数の携帯端末のそれぞれは、
前記複数の基地局に、各携帯端末の識別情報を含む位置登録要求を送信し、
車両の車外画像を取得し、
前記車外画像、前記車外画像を取得した時刻を示す取得時刻情報及び前記車外画像を取得した携帯端末の取得端末識別情報を前記サーバに送信し、
イベントの発生を検出し、
前記イベントの発生が検出された場合、前記イベントが発生した時刻を示す発生時刻情報及び前記イベントの発生を検出した検出端末識別情報を前記サーバに送信し、
前記複数の基地局のそれぞれは、
前記複数の携帯端末のいずれかが送信した前記位置登録要求を受信した場合、当該位置登録要求に含まれる携帯端末の識別情報を、各基地局がカバーするセル内に存在する携帯端末の識別情報として記憶し、
前記サーバは、
前記複数の基地局から定期的に、前記各基地局がカバーするセル内に存在する携帯端末の識別情報を受信し、
前記各基地局に関連付けて、前記各基地局がカバーするセル内に存在する携帯端末の識別情報を前記記憶部に記憶し、
前記複数の携帯端末のそれぞれが送信した前記車外画像、前記取得時刻情報及び前記取得端末識別情報を受信し、
前記複数の携帯端末の内の特定の携帯端末が送信した前記発生時刻情報を受信し、
前記各基地局がカバーするセル内に存在する携帯端末の識別情報に基づいて、前記複数の携帯端末の内、前記特定の携帯端末と同じ基地局のセルに在圏する前記特定の携帯端末以外の携帯端末を特定し、
前記取得時刻情報及び前記取得端末識別情報に基づいて、前記発生時刻情報に示される時刻に、前記特定の携帯端末によって取得された前記車外画像、及び前記特定された携帯端末によって取得された前記車外画像を特定し、特定した車外画像を互いに関連付けて前記記憶部に記憶する
ことを含むことを特徴とする画像管理方法。
【請求項９】
前記イベントの発生は、前記携帯端末が備える、加速度センサ、音声センサ、又は照度センサの出力値に基づいて検出される、請求項７又は８に記載の画像管理方法。
【請求項１０】
設置された車両の車外画像、前記車外画像を取得した時刻及び位置を示す取得時刻情報及び取得位置情報、並びに前記車外画像を取得した携帯端末の取得端末識別情報を定期的に送信し、イベントの発生を検出した場合に前記イベントが発生した時刻を示す発生時刻情報及び前記イベントの発生を検出した検出端末識別情報を送信する複数の携帯端末と接続し、且つ、記憶部を備えるサーバのサーバ制御方法であって、前記サーバは、
前記複数の携帯端末のそれぞれが送信した前記車外画像、前記取得時刻情報及び前記取得位置情報、並びに前記取得端末識別情報を定期的に受信し、
前記定期的に受信した各携帯端末の前記車外画像、前記取得時刻情報及び前記取得位置情報、並びに前記取得端末識別情報を前記記憶部に記憶し、
前記複数の携帯端末の内の特定の携帯端末が送信した前記発生時刻情報を受信し、
前記複数の携帯端末の内、前記定期的に受信した各携帯端末の前記取得時刻情報及び前記取得位置情報、並びに前記取得端末識別情報に基づいて、前記発生時刻情報に示される時刻において前記特定の携帯端末から所定範囲内に位置する前記特定の携帯端末以外の携帯端末を特定し、
前記定期的に受信した各携帯端末の前記車外画像、前記取得時刻情報及び前記取得位置情報、並びに前記取得端末識別情報に基づいて、前記発生時刻情報に示される時刻に、前記特定の携帯端末によって取得された前記車外画像、及び前記特定された携帯端末によって取得された前記車外画像を特定し、特定した車外画像を互いに関連付けて前記記憶部に記憶する
ことを含むことを特徴とするサーバ制御方法。
【請求項１１】
複数の基地局に、各携帯端末の識別情報を含む位置登録要求を送信し、設置された車両の車外画像、前記車外画像を取得した時刻を示す取得時刻情報及び前記車外画像を取得した携帯端末の取得端末識別情報を送信し、イベントの発生を検出した場合に前記イベントが発生した時刻を示す発生時刻情報及び前記イベントの発生を検出した検出端末識別情報を送信する複数の携帯端末と、前記複数の携帯端末のいずれかが送信した前記位置登録要求を受信した場合、当該位置登録要求に含まれる携帯端末の識別情報を、各基地局がカバーするセル内に存在する携帯端末の識別情報として記憶する複数の基地局の何れかを介して接続し、且つ、記憶部を備えるサーバのサーバ制御方法であって、前記サーバは、
前記複数の基地局から定期的に、前記各基地局がカバーするセル内に存在する携帯端末の識別情報を受信し、
前記各基地局に関連付けて、前記各基地局がカバーするセル内に存在する携帯端末の識別情報を前記記憶部に記憶し、
前記複数の携帯端末のそれぞれが送信した前記車外画像、前記取得時刻情報及び前記取得端末識別情報を受信し、
前記複数の携帯端末の内の特定の携帯端末が送信した前記発生時刻情報を受信し、
前記各基地局がカバーするセル内に存在する携帯端末の識別情報に基づいて、前記複数の携帯端末の内、前記特定の携帯端末と同じ基地局のセルに在圏する前記特定の携帯端末以外の携帯端末を特定し、
前記取得時刻情報及び前記取得端末識別情報に基づいて、前記発生時刻情報に示される時刻に、前記特定の携帯端末によって取得された前記車外画像、及び前記特定された携帯端末によって取得された前記車外画像を特定し、特定した車外画像を互いに関連付けて前記記憶部に記憶する
ことを含むことを特徴とするサーバ制御方法。
【請求項１２】
前記イベントの発生は、前記携帯端末が備える、加速度センサ、音声センサ、又は照度センサの出力値に基づいて検出される、請求項１０又は１１に記載のサーバ制御方法。
【請求項１３】
設置された車両の車外画像、前記車外画像を取得した時刻及び位置を示す取得時刻情報及び取得位置情報、並びに前記車外画像を取得した携帯端末の取得端末識別情報を定期的に送信し、イベントの発生を検出した場合に前記イベントが発生した時刻を示す発生時刻情報及び前記イベントの発生を検出した検出端末識別情報を送信する複数の携帯端末と接続し、且つ、記憶部を備えるサーバに、
前記複数の携帯端末のそれぞれが送信した前記車外画像、前記取得時刻情報及び前記取得位置情報、並びに前記取得端末識別情報を定期的に受信し、
前記定期的に受信した各携帯端末の前記車外画像、前記取得時刻情報及び前記取得位置情報、並びに前記取得端末識別情報を前記記憶部に記憶し、
前記複数の携帯端末の内の特定の携帯端末が送信した前記発生時刻情報を受信し、
前記複数の携帯端末の内、前記定期的に受信した各携帯端末の前記取得時刻情報及び前記取得位置情報、並びに前記取得端末識別情報に基づいて、前記発生時刻情報に示される時刻において前記特定の携帯端末から所定範囲内に位置する前記特定の携帯端末以外の携帯端末を特定し、
前記定期的に受信した各携帯端末の前記車外画像、前記取得時刻情報及び前記取得位置情報、並びに前記取得端末識別情報に基づいて、前記発生時刻情報に示される時刻に、前記特定の携帯端末によって取得された前記車外画像、及び前記特定された携帯端末によって取得された前記車外画像を特定し、特定した車外画像を互いに関連付けて前記記憶部に記憶する
ことを実行させることを特徴とするサーバプログラム。
【請求項１４】
複数の基地局に、各携帯端末の識別情報を含む位置登録要求を送信し、設置された車両の車外画像、前記車外画像を取得した時刻を示す取得時刻情報及び前記車外画像を取得した携帯端末の取得端末識別情報を送信し、イベントの発生を検出した場合に前記イベントが発生した時刻を示す発生時刻情報及び前記イベントの発生を検出した検出端末識別情報を送信する複数の携帯端末と、前記複数の携帯端末のいずれかが送信した前記位置登録要求を受信した場合、当該位置登録要求に含まれる携帯端末の識別情報を、各基地局がカバーするセル内に存在する携帯端末の識別情報として記憶する複数の基地局の何れかを介して接続し、且つ、記憶部を備えるサーバに、
前記複数の基地局から定期的に、前記各基地局がカバーするセル内に存在する携帯端末の識別情報を受信し、
前記各基地局に関連付けて、前記各基地局がカバーするセル内に存在する携帯端末の識別情報を前記記憶部に記憶し、
前記複数の携帯端末のそれぞれが送信した前記車外画像、前記取得時刻情報及び前記取得端末識別情報を受信し、
前記複数の携帯端末の内の特定の携帯端末が送信した前記発生時刻情報を受信し、
前記各基地局がカバーするセル内に存在する携帯端末の識別情報に基づいて、前記複数の携帯端末の内、前記特定の携帯端末と同じ基地局のセルに在圏する前記特定の携帯端末以外の携帯端末を特定し、
前記取得時刻情報及び前記取得端末識別情報に基づいて、前記発生時刻情報に示される時刻に、前記特定の携帯端末によって取得された前記車外画像、及び前記特定された携帯端末によって取得された前記車外画像を特定し、特定した車外画像を互いに関連付けて前記記憶部に記憶する
ことを実行させることを特徴とするサーバプログラム。
【請求項１５】
前記イベントの発生は、前記携帯端末が備える、加速度センサ、音声センサ、又は照度センサの出力値に基づいて検出される、請求項１３又は１４に記載のサーバプログラム。
【発明の詳細な説明】
【技術分野】
【０００１】
本発明は、画像管理システム、サーバ、画像管理方法、サーバ制御方法、及びサーバプログラムに関する。
【背景技術】
【０００２】
近年の携帯電話機は、通話機能の他に、画像撮影機能、インターネット等のネットワークへのアクセス機能、現在位置測定機能等の様々な機能を備えている。そのため、携帯電話機は、電話通信の用途の他に、ナビゲーションや写真撮影等の用途にも用いられる。
【０００３】
例えば、特許文献１には、カメラ部及びディスプレイ部を有する携帯電話機が車外を撮影するためにクレードルに設置され、カメラ部によって撮影された画像がディスプレイ部に表示されるドライブレコード方法が記載されている。この携帯電話機は、カメラ部によって撮影された最新の所定時間範囲の画像を映像保存部に録画する。次に、携帯電話機は、衝撃を検出した場合、録画された画像を含めた緊急メッセージを、警察、消防又は警備保障会社に設置された通信装置に送信する。
【先行技術文献】
【特許文献】
【０００４】
【特許文献１】特開２０１１−１７１７９８号公報
【発明の概要】
【発明が解決しようとする課題】
【０００５】
特許文献１に記載のドライブレコード方法によって、既存の携帯電話機をドライブレコーダとして機能させることができ、警察等は、ドライブレコーダ専用装置を必要とせずに、事故発生直後の有力な証拠となる画像を取得できる。
【０００６】
しかしながら、従来のドライブレコード方法において、事故の発生直後に取得される画像は、衝突を検出した携帯電話機（事故を起こした車両に搭載された携帯電話機等）が撮影した画像だけである。衝突を検出した携帯電話機は、車両の向きによっては、事故とは無関係な方向を撮影している可能性があり、有力な証拠となる画像を取得できない場合があった。
【０００７】
本発明は、このような従来の課題を解決すべくなされたものであり、イベントが発生した時に、適切な画像を取得することが可能となる画像管理システムを提供することを目的とする。
【課題を解決するための手段】
【０００８】
本発明に係る画像管理システムは、車両に設置可能な複数の携帯端末と記憶部を備えるサーバとを有する画像管理システムであって、複数の携帯端末のそれぞれは、車両の車外画像を取得する画像取得部と、車外画像、車外画像を取得した時刻を示す取得時刻情報及び車外画像を取得した携帯端末の取得端末識別情報をサーバに送信する画像送信部と、イベントの発生を検出するイベント検出部と、イベント検出部が、イベントの発生を検出した場合、イベントが発生した時刻を示す発生時刻情報及びイベントの発生を検出した検出端末識別情報をサーバに送信する端末時刻情報送信部と、を備え、サーバは、複数の携帯端末のそれぞれが送信した車外画像、取得時刻情報及び取得端末識別情報を受信する画像受信部と、複数の携帯端末の内の特定の携帯端末が送信した発生時刻情報を受信するサーバ時刻情報受信部と、複数の携帯端末の内、特定の携帯端末から所定範囲内に位置する特定の携帯端末以外の携帯端末を特定するサーバ特定部と、取得時刻情報及び取得端末識別情報に基づいて、発生時刻情報に示される時刻に、特定の携帯端末によって取得された車外画像、及びサーバ特定部が特定した携帯端末によって取得された車外画像を特定し、特定した車外画像を互いに関連付けて記憶部に記憶する記憶処理部とを備える。
【０００９】
また、本発明に係る画像管理システムにおいて、サーバは、特定された他の携帯端末に時刻情報を送信するサーバ時刻情報送信部を更に備え、複数の携帯端末のそれぞれは、サーバから時刻情報を受信する端末時刻情報受信部を更に備え、複数の携帯端末のそれぞれの画像送信部は、端末時刻情報受信部がサーバから発生時刻情報を受信した場合に限り、時刻情報に示される時刻に取得された車外画像、取得時刻情報及び取得端末識別情報をサーバに送信することが好ましい。
【００１０】
また、本発明に係る画像管理システムにおいて、複数の携帯端末のそれぞれの画像送信部は、定期的に、車外画像、取得時刻情報及び取得端末識別情報をサーバに送信することが好ましい。
【００１１】
また、本発明に係る画像管理システムにおいて、サーバは、複数の携帯端末のそれぞれが在圏するセルの基地局を記憶する記憶部を更に備え、サーバのサーバ特定部は、特定の携帯端末と同じ基地局のセルに在圏する携帯端末を、所定範囲内に位置する携帯端末として特定することが好ましい。
【００１２】
また、本発明に係る画像管理システムにおいて、複数の携帯端末のそれぞれは、当該携帯端末から所定範囲内に位置する他の携帯端末を特定し、特定された他の携帯端末に発生時刻情報を送信する端末時刻情報送信部を更に備え、複数の携帯端末のそれぞれの画像送信部は、端末時刻情報受信部が他の携帯端末から発生時刻情報を受信した場合に限り、発生時刻情報に示された時刻に取得された車外画像、取得時刻情報及び取得端末識別情報をサーバに送信することが好ましい。
【００１３】
また、本発明に係る画像管理システムにおいて、複数の携帯端末のそれぞれは、近距離無線通信を行う近距離無線通信部を更に備え、複数の携帯端末のそれぞれの端末時刻情報送信部は、近距離無線通信部を介して通信可能な携帯端末を、所定範囲内に位置する携帯端末として特定することが好ましい。
【００１４】
また、本発明に係る画像管理システムにおいて、イベント検出部は、加速度センサ、音声センサ、又は照度センサの出力値に基づいてイベントの発生を検出することが好ましい。
【００１５】
本発明に係るサーバは、設置された車両の車外画像、車外画像を取得した時刻を示す取得時刻情報及び車外画像を取得した携帯端末の取得端末識別情報を送信し、イベントの発生を検出した場合にイベントが発生した時刻を示す発生時刻情報及びイベントの発生を検出した検出端末識別情報を送信する複数の携帯端末と接続するサーバであって、記憶部と、複数の携帯端末のそれぞれが送信した車外画像、取得時刻情報及び取得端末識別情報を受信する画像受信部と、複数の携帯端末の内の特定の携帯端末が送信した発生時刻情報を受信するサーバ時刻情報受信部と、複数の携帯端末の内、特定の携帯端末から所定範囲内に位置する特定の携帯端末以外の携帯端末を特定するサーバ特定部と、取得時刻情報及び取得端末識別情報に基づいて、発生時刻情報に示される時刻に、特定の携帯端末によって取得された車外画像、及びサーバ特定部が特定した携帯端末によって取得された車外画像を特定し、特定した車外画像を互いに関連付けて記憶部に記憶する記憶処理部とを備える。
【００１６】
本発明に係る画像管理方法は、車両に設置可能な複数の携帯端末と記憶部を備えるサーバとを有する画像管理システムの画像管理方法であって、複数の携帯端末のそれぞれは、車両の車外画像を取得し、車外画像、車外画像を取得した時刻を示す取得時刻情報及び車外画像を取得した携帯端末の取得端末識別情報をサーバに送信し、イベントの発生を検出し、イベント検出部が、イベントの発生を検出した場合、イベントが発生した時刻を示す発生時刻情報及びイベントの発生を検出した検出端末識別情報をサーバに送信し、サーバは、複数の携帯端末のそれぞれが送信した車外画像、取得時刻情報及び取得端末識別情報を受信し、複数の携帯端末の内の特定の携帯端末が送信した発生時刻情報を受信し、複数の携帯端末の内、特定の携帯端末から所定範囲内に位置する特定の携帯端末以外の携帯端末を特定し、取得時刻情報及び取得端末識別情報に基づいて、発生時刻情報に示される時刻に、特定の携帯端末によって取得された車外画像、及びサーバ特定部が特定した携帯端末によって取得された車外画像を特定し、特定した車外画像を互いに関連付けて記憶部に記憶することを含む。
【００１７】
本発明に係るサーバ制御方法は、設置された車両の車外画像、車外画像を取得した時刻を示す取得時刻情報及び車外画像を取得した携帯端末の取得端末識別情報を送信し、イベントの発生を検出した場合にイベントが発生した時刻を示す発生時刻情報及びイベントの発生を検出した検出端末識別情報を送信する複数の携帯端末と接続し、且つ、記憶部を備えるサーバのサーバ制御方法であって、サーバは、複数の携帯端末のそれぞれが送信した車外画像、取得時刻情報及び取得端末識別情報を受信し、複数の携帯端末の内の特定の携帯端末が送信した発生時刻情報を受信し、複数の携帯端末の内、特定の携帯端末から所定範囲内に位置する特定の携帯端末以外の携帯端末を特定し、取得時刻情報及び取得端末識別情報に基づいて、発生時刻情報に示される時刻に、特定の携帯端末によって取得された車外画像、及びサーバ特定部が特定した携帯端末によって取得された車外画像を特定し、特定した車外画像を互いに関連付けて記憶部に記憶することを含む。
【００１８】
本発明に係るサーバプログラムは、設置された車両の車外画像、車外画像を取得した時刻を示す取得時刻情報及び車外画像を取得した携帯端末の取得端末識別情報を送信し、イベントの発生を検出した場合にイベントが発生した時刻を示す発生時刻情報及びイベントの発生を検出した検出端末識別情報送信する複数の携帯端末と接続し、且つ、記憶部を備えるサーバに、複数の携帯端末のそれぞれが送信した車外画像、取得時刻情報及び取得端末識別情報を受信し、複数の携帯端末の内の特定の携帯端末が送信した発生時刻情報を受信し、複数の携帯端末の内、特定の携帯端末から所定範囲内に位置する特定の携帯端末以外の携帯端末を特定し、取得時刻情報及び取得端末識別情報に基づいて、発生時刻情報に示される時刻に、特定の携帯端末によって取得された車外画像、及びサーバ特定部が特定した携帯端末によって取得された車外画像を特定し、特定した車外画像を互いに関連付けて記憶部に記憶することを実行させる。
【発明の効果】
【００１９】
本発明に係る画像管理システムは、イベントが発生した時に、適切な画像を取得することを可能とする。
【図面の簡単な説明】
【００２０】
【図１】画像管理システム１の概略を説明するための模式図である。
【図２】イベント発生時刻及びイベント画像を説明するための模式図である。
【図３】画像管理システム１の概略を説明するための模式図である。
【図４】画像管理システム１の概略構成の一例を示す図である。
【図５】携帯端末２の概略構成の一例を示す図である。
【図６】サーバ３の概略構成の一例を示す図である。
【図７】携帯端末位置テーブルのデータ構造の一例を示す図である。
【図８】携帯端末２のドライブレコーダアプリケーションの起動処理の一例を示すフローチャートである。
【図９】携帯端末２のドライブレコーダアプリケーションの終了処理の一例を示すフローチャートである。
【図１０】画像管理システム１に係る動作シーケンスの一例を示す図である。
【図１１】画像管理システム１’の概略を説明するための模式図である。
【図１２】携帯端末２の概略構成の一例を示す図である。
【図１３】画像管理システム１’に係る動作シーケンスの一例を示す図である。
【図１４】画像管理システム１''の概略を説明するための模式図である。
【図１５】第３の実施形態における画像管理システム１''に係る動作シーケンスの一例を示す図である。
【発明を実施するための形態】
【００２１】
以下、図面を参照しつつ、本発明の様々な実施形態について説明する。ただし、本発明の技術的範囲はそれらの実施形態に限定されず、特許請求の範囲に記載された発明とその均等物に及ぶ点に留意されたい。
【００２２】
図１は、画像管理システム１の概略を説明するための模式図である。画像管理システム１は、車両に設置可能な複数の携帯端末２と、各携帯端末から送信された画像を管理するサーバ３とを有する。携帯端末２ａは、特定の携帯端末の一例であり、車両の衝突、急減速等のイベントを検出する。サーバ３は、携帯端末２ａがイベント発生時刻に取得した画像と、携帯端末２ｂが取得した画像とを関連付けて記憶する。
【００２３】
携帯端末２は、画像撮影機能、現在位置測定機能、加速度検出機能、及び無線通信ネットワークへの接続機能等の各種機能を有する。携帯端末２は、車両に設置された携帯端末ホルダーによって保持され、車両前方を撮影した車外画像を取得する。なお、車両は、自動車、原動機付自転車、又は軽車両（自転車等）等である。携帯端末ホルダーの設置位置は、車両前方を撮影し得る位置に限らず、車両の任意の位置でもよい。なお、車外画像は動画像である。または、車外画像は静止画像でもよい。
【００２４】
この画像管理システム１において、まず、携帯端末２ａは、イベントが発生したか否かを常時判定しており、イベントが発生した場合、そのイベントの発生を検出する（１）。なお、携帯端末２ａが検出するイベントは、車両の衝突、急減速等の他に、車両周辺の爆発等も含む。
【００２５】
次に、携帯端末２ａは、イベントが発生した時刻（イベント発生時刻）を特定し、イベントが発生した旨と、イベント発生時刻を示す発生時刻情報と、携帯端末２ａの識別情報とを含むイベント通知信号をサーバ３に送信する（２）。イベント発生時刻は、携帯端末２ａが有するクロック機能等によって特定される。なお、イベント発生時刻は、イベントが発生した時点を含む所定範囲の時刻である。
【００２６】
次に、携帯端末２ａは、イベント発生時刻に取得された車外画像Ａをサーバ３に送信する（３）。また、携帯端末２ａから所定範囲に位置する携帯端末２ｂも、イベント発生時刻に取得された車外画像Ｂをサーバ３に送信する（４）。なお、携帯端末２ａ及び２ｂは、それぞれ車外画像Ａ及びＢをイベントが発生した直後のタイミングにサーバ３に送信する。または、携帯端末２ａ及び２ｂは、それぞれ車外画像Ａ及びＢを定期的にサーバ３に送信していてもよい。
【００２７】
次に、サーバ３は、イベント発生時刻に取得された車外画像Ａ及び車外画像Ｂを互いに関連付けて記憶する（５）。以後、イベント発生時刻に取得された車外画像Ａ及び車外画像Ｂを、それぞれイベント画像Ａ及びイベント画像Ｂと称する場合がある。
【００２８】
図２は、イベント発生時刻及びイベント画像を説明するための模式図である。
【００２９】
イベント発生時刻は、イベントが発生した時点の前後の所定範囲（例えば、１分間）の時刻である。イベント画像は、イベント発生時刻に撮影された画像である。例えば、車外画像が動画像である場合、イベントが発生した時点の３０秒前からイベントが発生した時点の３０秒後までの時間範囲の映像が、イベント画像として特定される。また、車外画像が静止画像である場合、イベントが発生した時点の３０秒前からイベントが発生した時点の３０秒後までの時間範囲に含まれる静止画像が、イベント画像として特定される。以後、イベント画像の開始時刻（イベントが発生した時点より３０秒前の時刻）をイベント開始時刻と称し、イベント画像の終了時刻（イベントが発生した時点より３０秒後の時刻）をイベント終了時刻と称する。
【００３０】
なお、イベント終了時刻よりも前に、携帯端末２が車外画像の撮影が終了した場合、イベント開始時刻から撮影終了時刻までの時間範囲の車外画像がイベント画像として特定される。
【００３１】
上述のとおり、画像管理システム１は、事故等のイベントを検出した携帯端末以外の携帯端末からもイベント発生時刻の画像を取得するので、イベントが発生したときに、様々な位置から撮影された画像、及び様々な角度で撮影された画像を取得することができる。したがって、画像管理システム１は、車両事故等に関する適切な画像を取得することができる。
【００３２】
なお、上述した図１及び２の説明は、本発明の内容への理解を深めるための説明にすぎない。本発明は、具体的には、次に説明する各実施形態において実施され、且つ、本発明の原則を実質的に超えずに、さまざまな変形例によって実施されてもよい。このような変形例はすべて、本発明および本明細書の開示範囲に含まれる。
【００３３】
（第１の実施形態）
図３は、第１の実施形態における画像管理システム１の概略を説明するための模式図である。
【００３４】
携帯端末２ａは、携帯端末２ａを設置した車両の衝突、急減速等のイベントの発生を検出すると（１）、イベント発生時刻を特定し、イベント通知信号をサーバ３に送信する（２）。また、携帯端末２ａは、イベント発生時刻に取得されたイベント画像Ａをサーバ３に送信する（３）。
【００３５】
次に、サーバ３は、携帯端末２ａからイベント通知信号を受信すると、携帯端末２ａから所定範囲内に位置する携帯端末２ｂを特定する。携帯端末２ａは、例えば、無線通信システムで用いられる複数の基地局４のそれぞれがカバーするセル５の内、携帯端末２ａと同一セルに含まれる携帯端末を、携帯端末２ａから所定範囲内に位置する携帯端末２ｂとして特定する。次に、サーバ３は、特定した携帯端末２ｂに、イベント画像の送信を要求する旨及び発生時刻情報を含む画像要求信号を送信する（４）。
【００３６】
携帯端末２ｂは、サーバ３から画像要求信号を受信した場合に限り、画像要求信号に含まれる発生時刻情報に示されるイベント発生時刻に取得されたイベント画像Ｂを特定し、特定したイベント画像Ｂをサーバ３に送信する（５）。サーバ３は、携帯端末２ａが送信したイベント画像Ａと、携帯端末２ｂが送信したイベント画像Ｂとを関連付けて記憶する（６）。
【００３７】
図４は、第１の実施形態における画像管理システム１の概略構成の一例を示す図である。
【００３８】
画像管理システム１は、携帯端末２ａと、一又は複数の携帯端末２ｂと、サーバ３とを有する。携帯端末２ａ及び２ｂとサーバ３とは、通信ネットワークを介して相互に接続され、例えば、基地局４、バックボーンネットワーク６、ゲートウェイ７、及びインターネット８を介して相互に接続される。セル５は、基地局４からの電波が届く範囲である。
【００３９】
携帯端末２は、例えば携帯電話（所謂「フィーチャーフォン」）、多機能携帯電話（所謂「スマートフォン」）、携帯情報端末（Personal Digital Assistant, PDA）、携帯ゲーム機、携帯音楽プレーヤ、タブレットＰＣ等である。
【００４０】
基地局４は、携帯端末２同士の接続、又は、携帯端末２とバックボーンネットワーク６との接続を行う無線機器であり、バックボーンネットワーク６には、複数の基地局４が接続される。各基地局４は、各基地局４がカバーするセル５内に存在する携帯端末２の識別情報を記憶する在圏携帯端末データベースを保持する。各基地局４は、定期的に基地局の識別情報を含む在圏情報を携帯端末２に送信する。携帯端末２は、受信した在圏情報を送信した基地局４が、前回受信した在圏情報を送信した基地局以外の場合、携帯端末２の識別情報を含む位置登録要求を基地局４に送信する。基地局４は、携帯端末２から位置登録要求を受信すると、位置登録要求に含まれる携帯端末２の識別情報を在圏携帯端末データベースに記憶する。
【００４１】
図５は、第１の実施形態における携帯端末２の概略構成の一例を示す図である。
【００４２】
携帯端末２は、無線通信ネットワークへの接続、携帯端末２の位置測定、画像撮影、所定のアプリケーションプログラムの実行等を行う。そのために、携帯端末２は、第１無線通信部２１と、第２無線通信部２２と、端末記憶部２３と、操作部２４と、表示部２５と、撮影部２６と、加速度検出部２７と、ＧＰＳ部２８と、端末処理部２９とを備える。
【００４３】
第１無線通信部２１は、主に２．１ＧＨｚ帯を感受帯域とするアンテナを含む、通信インターフェース回路を有し、携帯端末２を通信ネットワーク（図示せず）に接続する。第１無線通信部２１は、基地局４により割り当てられるチャネルを介して、基地局４との間でＣＤＭＡ（Code Division Multiple Access）方式等による無線信号回線を確立し、基地局４との間で通信を行う。なお、基地局４との間の通信方式は、ＣＤＭＡ方式に限定されず、Ｗ−ＣＤＭＡ（Wideband Code Division Multiple Access）方式、ＬＴＥ（Long Term Evolution）方式等の他の通信方式でもよく、今後使用される通信方式でもよい。また、基地局４との間の通信方式は、ＰＨＳ（Personal Handy-phone System）等の他の通信方式でもよい。また、第１無線通信部２１の周波数帯域は、上記した周波数帯域に限定されない。第１無線通信部２１は、基地局４から受信したデータを端末処理部２９に供給し、端末処理部２９から供給されたデータを基地局４に送信する。
【００４４】
第２無線通信部２２は、主に２．４ＧＨｚ帯、５ＧＨｚ帯等を感受帯域とするアンテナを含む、通信インターフェース回路を有し、図示しない無線ＬＡＮ（Local Area Network）のアクセスポイントとの間でＩＥＥＥ（The Institute of Electrical and Electronics Engineers, Inc.）８０２．１１規格の無線通信方式に基づいて無線通信を行う。また、第２無線通信部２２の周波数帯域は、上記した周波数帯域に限定されない。そして、第２無線通信部２２は、基地局４から受信したデータを端末処理部２９に供給し、端末処理部２９から供給されたデータを基地局４に送信する。
【００４５】
端末記憶部２３は、例えば、半導体メモリを有する。端末記憶部２３は、端末処理部２９での処理に用いられるドライバプログラム、オペレーティングシステムプログラム、アプリケーションプログラム、データ等を記憶する。例えば、端末記憶部２３は、ドライバプログラムとして、第１無線通信部２１を制御する携帯電話通信デバイスドライバプログラム、第２無線通信部２２を制御する無線ＬＡＮ通信デバイスドライバプログラム、操作部２４を制御する入力デバイスドライバプログラム、表示部２５を制御する出力デバイスドライバプログラム等を記憶する。また、端末記憶部２３は、オペレーティングシステムプログラムとして、ＩＥＥＥ８０２．１１規格の無線通信方式を実行する接続制御プログラム、携帯電話の接続制御プログラム等を記憶する。また、端末記憶部２３は、アプリケーションプログラムとして、ウェブページの取得及び表示を行うウェブブラウザプログラム、電子メールの送信及び受信を行う電子メールプログラム等を記憶する。コンピュータプログラムは、例えばＣＤ−ＲＯＭ（compact disk read only memory）、ＤＶＤ−ＲＯＭ（digital versatile disk read only memory）等のコンピュータ読み取り可能な可搬型記録媒体から、公知のセットアッププログラム等を用いて端末記憶部２３にインストールされてもよい。また、端末記憶部２３は、データとして、撮影部２６が撮影した画像を記憶する。
【００４６】
操作部２４は、携帯端末２の操作が可能であればどのようなデバイスでもよく、例えば、タッチパネル式の入力装置、キーパッド等である。所有者は、このデバイスを用いて、文字、数字等を入力することができる。操作部２４は、所有者により操作されると、その操作に対応する信号を発生する。発生した信号は、所有者の指示として、端末処理部２９に入力される。
【００４７】
表示部２５は、動画像、静止画像等の出力が可能であればどのようなデバイスでもよく、例えば、タッチパネル式の表示装置、液晶ディスプレイ、有機ＥＬ（Electro−Luminescence）ディスプレイ等である。表示部２５は、端末処理部２９から供給される動画像データに応じた動画像、静止画像データに応じた静止画像等を表示する。
【００４８】
撮影部２６は、結像光学系、撮像素子及び画像処理部等を有する。結像光学系は、例えば光学レンズであり、被写体からの光束を撮像素子の撮像面上に結像させる。撮像素子は、ＣＣＤ（Charge Coupled Device）又はＣＭＯＳ（Complementary Metal Oxide Semiconductor）等であり、撮像面上に結像した被写体像の画像を出力する。画像処理部は、連続して撮像素子によって生成された画像から、所定期間毎に所定のファイル形式の動画像データを作成して出力する。または、画像処理部は、撮像素子によって生成された画像から所定のファイル形式の静止画像データを作成して出力する。
【００４９】
加速度検出部２７は、例えば、加速度センサであり、端末処理部２９からの要求に応じて、携帯端末２に加わる加速度を３軸方向毎に検出し、検出した加速度を携帯端末２の衝突、急減速等に係るデータとして出力する。加速度センサは、例えば、ピエゾ抵抗効果を利用したピエゾ抵抗型の３軸加速度センサ、又は静電容量の変化を利用した静電容量型の３軸加速度センサとすることができる。なお、加速度センサとともに、携帯端末２の回転角速度を検出するジャイロセンサを利用し、加速度センサが検出した加速度とジャイロセンサが検出した回転角速度とによって携帯端末２の急旋回に係るデータを出力してもよい。
【００５０】
ＧＰＳ部２８は、主に１．５ＧＨｚ帯を感受帯域とするアンテナを含む、ＧＰＳ回路を有し、不図示のＧＰＳ衛星からＧＰＳ信号を受信する。ＧＰＳ部２８は、そのＧＰＳ信号をデコードし、時刻情報等を取得する。次に、ＧＰＳ部２８は、その時刻情報等に基づいてＧＰＳ衛星から携帯端末２までの擬似距離を計算し、その擬似距離を代入して得られる連立方程式を解くことにより、携帯端末２が存在する位置（緯度、経度、高度等）を検出する。そして、ＧＰＳ部２８は、検出した位置を示す位置情報と取得した位置時刻情報とを関連付けて定期的に出力する。
【００５１】
端末処理部２９は、一又は複数個のプロセッサ及びその周辺回路を有する。端末処理部２９は、携帯端末２の全体的な動作を統括的に制御するものであり、例えば、ＣＰＵ（Central Processing Unit）である。端末処理部２９は、携帯端末２の各種処理が端末記憶部２３に記憶されているプログラム及び操作部２４の操作からの出力等に応じて適切な手順で実行されるように、第１無線通信部２１、第２無線通信部２２、表示部２５、撮影部２６等の動作を制御する。端末処理部２９は、端末記憶部２３に記憶されているプログラム（ドライバプログラム、オペレーティングシステムプログラム、アプリケーションプログラム等）に基づいて処理を実行する。また、端末処理部２９は、複数のプログラム（アプリケーションプログラム等）を並列に実行することができる。
【００５２】
端末処理部２９は、画像取得部２９１と、画像送信部２９２と、イベント検出部２９３と、端末時刻情報送信部２９４と、端末時刻情報受信部２９５と、イベント画像特定部２９６とを有する。端末処理部２９が有するこれらの各部は、端末処理部２９が有するプロセッサ上で実行されるプログラムによって実装される機能モジュールである。あるいは、端末処理部２９が有するこれらの各部は、独立した集積回路、マイクロプロセッサ、又はファームウェアとして携帯端末２に実装されてもよい。
【００５３】
図６は、第１の実施形態におけるサーバ３の概略構成の一例を示す図である。
【００５４】
サーバ３は、携帯端末２ａからイベント通知信号を受信すると、携帯端末２ａから所定範囲内に位置する携帯端末２ｂを特定し、特定した携帯端末２ｂに、イベント通知信号を送信する。また、サーバ３は、携帯端末２ａ及び携帯端末２ｂから受信したイベント画像Ａ及びイベント画像Ｂを互いに関連付けて記憶する。そのために、サーバ３は、通信部３１と、サーバ記憶部３２と、サーバ処理部３３とを備える。
【００５５】
通信部３１は、サーバ３をインターネット８に接続するための通信インターフェース回路を有する。通信部３１は、携帯端末２から受信したデータをサーバ処理部３３に供給する。
【００５６】
サーバ記憶部３２は、例えば、半導体メモリ、磁気ディスク装置、及び光ディスク装置の内の少なくとも一つを有する。サーバ記憶部３２は、サーバ処理部３３による処理に用いられるドライバプログラム、オペレーティングシステムプログラム、アプリケーションプログラム、データ等を記憶する。例えば、サーバ記憶部３２は、ドライバプログラムとして、通信部３１を制御する通信デバイスドライバプログラム等を記憶する。コンピュータプログラムは、例えばＣＤ−ＲＯＭ、ＤＶＤ−ＲＯＭ等のコンピュータ読み取り可能な可搬型記録媒体から、公知のセットアッププログラム等を用いてサーバ記憶部３２にインストールされてもよい。
【００５７】
また、サーバ記憶部３２は、データとして、各基地局４のそれぞれがカバーするセル５内に位置する携帯端末２の識別情報を管理する携帯端末位置テーブルを記憶する。携帯端末位置テーブルは、各基地局４が保持する在圏携帯端末データベースに基づいて作成された管理テーブルである。携帯端末位置テーブルは、サーバ３のサーバ処理部３３が、定期的に各基地局４から在圏携帯端末データベースを受信し、受信した在圏携帯端末データベースから所定の項目を抽出することにより作成される。
【００５８】
図７は、携帯端末位置テーブルのデータ構造の一例を示す図である。
【００５９】
図７に示すように、携帯端末位置テーブルには、基地局４毎に、基地局ＩＤと、各基地局４がカバーするセル５に含まれる携帯端末２の電話番号等が互いに関連付けられて登録される。基地局ＩＤは、基地局を一意に識別するための識別情報の一例であり、電話番号は、携帯端末２を一意に識別するための識別情報の一例である。即ち、携帯端末位置テーブルには、各携帯端末２が在圏するセルの基地局の情報が記憶されている。なお、携帯端末２を一意に識別するための識別情報として、携帯端末２の製造番号（International Mobile Equipment Identity, IMEI）等が用いられてもよい。
【００６０】
図６に戻り、サーバ処理部３３は、一又は複数個のプロセッサ及びその周辺回路を有する。サーバ処理部３３は、サーバ３の全体的な動作を統括的に制御するものであり、例えば、ＣＰＵである。サーバ処理部３３は、サーバ３の各種処理がサーバ記憶部３２に記憶されているプログラム等に応じて適切な手順で実行されるように、通信部３１等の動作を制御する。サーバ処理部３３は、サーバ記憶部３２に記憶されているプログラム（ドライバプログラム、オペレーティングシステムプログラム、アプリケーションプログラム等）に基づいて処理を実行する。また、サーバ処理部３３は、複数のプログラム（アプリケーションプログラム等）を並列に実行できる。
【００６１】
サーバ処理部３３は、サーバ時刻情報受信部３３１と、サーバ特定部３３２と、サーバ時刻情報送信部３３３と、画像受信部３３４と、記憶処理部３３５とを有する。サーバ処理部３３が有するこれらの各部は、サーバ処理部３３が有するプロセッサ上で実行されるプログラムによって実装される機能モジュールである。あるいは、サーバ処理部３３が有するこれらの各部は、独立した集積回路、マイクロプロセッサ、又はファームウェアとしてサーバ３に実装されてもよい。
【００６２】
図８は、携帯端末２のドライブレコーダアプリケーションの起動処理の一例を示すフローチャートである。以下、図８に示したフローチャートを参照しつつ、ドライブレコーダアプリケーションの起動処理の動作を説明する。なお、以下に説明する動作のフローは、予め端末記憶部２３に記憶されているプログラムに基づき主に端末処理部２９により携帯端末２の各要素と協働して実行される。
【００６３】
最初に、端末処理部２９は、操作部２４を介してユーザからドライブレコーダアプリケーションの起動の指示を受け付ける（ステップＳ１０１）。端末処理部２９がドライブレコーダアプリケーションの起動の指示を受け付けると、画像取得部２９１は、撮影部２６に車外画像の撮影を指示し、撮影部２６から、定期的に車外画像を取得する（ステップＳ１０２）。画像取得部２９１は、車外画像を取得するたびに、車外画像を取得した時刻を特定し、ＧＰＳ部２８から出力される位置情報に基づいて、車外画像が撮影された位置を特定する（ステップＳ１０３）。なお、取得時刻情報は、撮影部２６によって、動画像データの各フレーム、又は各静止画像データに関連付けられて出力されてもよい。
【００６４】
次に、画像取得部２９１は、車外画像、車外画像を取得した時刻を示す取得時刻情報、及び車外画像が撮影された位置を示す撮影位置情報を関連付けて端末記憶部２３に一時記憶する（ステップＳ１０４）。
【００６５】
次に、端末処理部２９は、携帯端末２の電話番号、及び現在位置を示す位置情報を含む端末情報を、第２無線通信部２２を介してサーバ３に送信し（ステップＳ１０５）、一連のステップを終了する。以降、画像取得部２９１は、ステップＳ１０３〜Ｓ１０５の処理を、定期的に実行する。
【００６６】
図９は、携帯端末２のドライブレコーダアプリケーションの終了処理の一例を示すフローチャートである。以下、図９に示したフローチャートを参照しつつ、ドライブレコーダアプリケーションの終了処理の動作を説明する。なお、以下に説明する動作のフローは、予め端末記憶部２３に記憶されているプログラムに基づき主に端末処理部２９により携帯端末２の各要素と協働して実行される。
【００６７】
端末処理部２９は、操作部２４を介してユーザからドライブレコーダアプリケーションの終了の指示を受け付ける（ステップＳ２０１）。端末処理部２９がドライブレコーダアプリケーションの終了の指示を受け付けると、画像取得部２９１は、撮影部２６に車外画像の撮影の終了を指示する。次に、撮影部２６は、車外画像の撮影を終了する（ステップＳ２０２）。次に、端末処理部２９は、ドライブレコーダアプリケーションを終了する（ステップＳ２０３）。
【００６８】
図１０は、第１の実施形態における画像管理システム１に係る動作シーケンスの一例を示す図である。
【００６９】
以下に説明する動作シーケンスは、予め端末記憶部２３及びサーバ記憶部３２に記憶されているプログラムに基づいて、主に端末処理部２９及びサーバ処理部３３により、携帯端末２及びサーバ３の各要素と協働して実行される。
【００７０】
最初に、携帯端末２ａのイベント検出部２９３は、イベントの発生を検出する（ステップＳ３０１）。イベント検出部２９３は、加速度検出部２７の出力データの絶対値が所定の閾値を超えるか否かを判定する。イベント検出部２９３は、加速度検出部２７の出力データの絶対値が所定の閾値以上の場合、イベントが発生したと判定する。
【００７１】
次に、端末時刻情報送信部２９４は、イベント検出部２９３がイベントの発生を検出した場合、イベント発生時刻を特定し、イベント通知信号を第２無線通信部２２を介してサーバ３に送信する（ステップＳ３０２）。イベント通知信号には、イベントが発生した旨、発生時刻情報及び携帯端末２ａの電話番号Ａが含まれる。
【００７２】
次に、イベント画像特定部２９６は、発生時刻情報に示されるイベント発生時刻に取得され、端末記憶部２３に記憶された車外画像Ａをイベント画像Ａとして特定する（ステップＳ３０３）。
【００７３】
次に、画像送信部２９２は、特定したイベント画像Ａ、イベント画像Ａの取得時刻情報、撮影位置情報及び携帯端末２ａの電話番号Ａを含む画像信号を、第２無線通信部２２を介してサーバ３に送信する（ステップＳ３０４）。
【００７４】
一方、サーバ３のサーバ時刻情報受信部３３１は、通信部３１を介して携帯端末２ａからイベント通知信号を受信し、画像受信部３３４は、通信部３１を介して携帯端末２ａから画像信号を受信する。サーバ時刻情報受信部３３１が携帯端末２ａからイベント通知信号を受信した場合、サーバ特定部３３２は、携帯端末特定処理を実行する（ステップＳ３０５）。
【００７５】
携帯端末特定処理において、サーバ特定部３３２は、サーバ記憶部３２から携帯端末位置テーブルを読み出し、携帯端末位置テーブルから、電話番号Ａと関連付けられた基地局ＩＤを抽出する。次に、サーバ特定部３３２は、携帯端末位置テーブルから、特定した基地局ＩＤと関連付けて記憶された電話番号の内、所定時間内に受信した端末情報に含まれる携帯端末の電話番号、即ちドライブレコーダアプリケーションが起動している携帯端末の電話番号であり且つ電話番号Ａ以外の電話番号Ｂを抽出する。サーバ特定部３３２は、抽出した電話番号Ｂに対応する携帯端末を携帯端末２ａから所定範囲内に位置する携帯端末２ｂとして特定し、電話番号Ａ及び電話番号Ｂをサーバ時刻情報送信部３３３に渡す。
【００７６】
なお、サーバ特定部３３２は、各携帯端末から受信した端末情報に含まれる位置情報に基づいて、携帯端末２ａから所定範囲内に位置する携帯端末２ｂを特定してもよい。その場合、サーバ特定部３３２は、端末情報に含まれる位置情報に示される位置が、携帯端末２ａから受信していた端末情報に含まれる位置情報に示される位置から所定範囲（例えば、１００ｍ）内である携帯端末を携帯端末２ｂとして特定する。
【００７７】
次に、サーバ時刻情報送信部３３３は、サーバ特定部３３２から電話番号Ｂを受け取ると、通信部３１を介して、電話番号Ｂに対応する携帯端末２ｂに画像要求信号を送信する（ステップＳ３０６）。画像要求信号には、イベントが発生した旨、発生時刻情報及び携帯端末２ａの電話番号Ａが含まれる。
【００７８】
一方、携帯端末２ｂの端末時刻情報受信部２９５は、第２無線通信部２２を介してサーバ３から画像要求信号を受信する。端末時刻情報受信部２９５が画像要求信号を受信すると、イベント画像特定部２９６は、画像要求信号に含まれる発生時刻情報に示されるイベント発生時刻より３０秒前の時刻をイベント開始時刻として特定し、イベント発生時刻より３０秒後の時刻をイベント終了時刻として特定する。イベント画像特定部２９６は、特定したイベント開始時刻からイベント終了時刻までの端末記憶部２３に記憶された車外画像Ｂをイベント画像Ｂとして特定する（ステップＳ３０７）。
【００７９】
次に、画像送信部２９２は、特定したイベント画像Ｂ、イベント画像Ｂの取得時刻情報、撮影位置情報及び携帯端末２ｂの電話番号Ｂを含む画像信号を、第２無線通信部２２を介してサーバ３に送信する（ステップＳ３０８）。このように、携帯端末２ｂの画像送信部２９２は、端末時刻情報受信部２９５がサーバ３から画像要求信号を受信した場合に限り、画像信号をサーバ３に送信する。なお、図１０に示す動作シーケンスでは、ステップＳ３０３及びＳ３０４の後にステップＳ３０５及びＳ３０６が実行されるが、ステップＳ３０３の前にステップＳ３０５及びＳ３０６が実行されるようにしてもよい。これにより、携帯端末２ｂにおいて、サーバ３から画像信号要求を受信する時刻が早くなり、携帯端末２ｂは、時間優先のプロセスで画像信号をサーバ３に送信することが可能となる。
【００８０】
一方、サーバ３の画像受信部３３４は、通信部３１を介して携帯端末２ｂから画像信号を受信する。画像受信部３３４が画像信号を受信した場合、記憶処理部３３５は、画像信号に含まれるイベント画像、取得時刻情報及び電話番号を抽出する。記憶処理部３３５は、抽出した取得時刻情報及び電話番号に基づいて、イベント画像が、イベント発生時刻に、イベント通知信号を送信した携帯端末２ａによって取得されたイベント画像Ａ、又はサーバ特定部３３２が特定した携帯端末２ｂによって取得されたイベント画像Ｂであるか否かを判定する。これにより、記憶処理部３３５は、イベント画像Ａ及びイベント画像Ｂを特定する。記憶処理部３３５は、特定したイベント画像Ａ及びイベント画像Ｂを互いに関連付けてサーバ記憶部３２に記憶する。記憶処理部３３５は、特定したイベント画像Ａ、イベント画像Ｂ、各画像の取得時刻情報、各画像を取得した携帯端末の電話番号、イベントの発生を検出した携帯端末の電話番号及びイベント発生時刻を関連付けてサーバ記憶部３２に記憶する。
【００８１】
なお、互いに関連付けられたイベント画像Ａ及びイベント画像Ｂは、警察、消防又は警備保障会社に提供される。
【００８２】
以上説明してきたように、第１の実施形態における画像管理システム１によって、サーバ３は、イベントの発生を検出した携帯端末２ａが撮影した車外画像の他に、携帯端末２ｂが撮影した車外画像を取得することが可能となる。したがって、サーバ３は、イベントが発生したときに、様々な位置から撮影された画像、及び様々な角度で撮影された画像を取得することができ、車両事故等に関する適切な画像を取得することができる。
【００８３】
また、サーバ３が携帯端末２ａから所定範囲内に位置する携帯端末２ｂのイベント画像Ｂのみを、携帯端末２ａが撮影したイベント画像Ａと関連付けることにより、イベントの発生を検出した携帯端末２ａの周辺の画像を取得することが可能となる。また、サーバ３は、携帯端末２ａと同一セルに含まれる携帯端末２ｂを特定する処理を行うため、全ての携帯端末２の位置情報を取得し、携帯端末２ａから所定範囲内に位置する携帯端末２ｂを算出する必要がない。サーバ３は、携帯端末２ａの識別情報（電話番号等）のみを取得し、携帯端末位置テーブルを検索するだけで、携帯端末２ａから所定範囲内に位置する携帯端末２ｂを特定することが可能となる。
【００８４】
（第２の実施形態）
図１１は、第２の実施形態における画像管理システム１’の概略を説明するための模式図である。
【００８５】
第２の実施形態における携帯端末２’ａは、イベントの発生を検出すると（１）、イベント発生時刻に取得されたイベント画像Ａをサーバ３に送信する（２）。イベント発生時刻を特定し、画像要求信号を端末間の無線通信を用いて携帯端末２’ｂに送信する（３）。
【００８６】
端末間無線通信は、例えば、Bluetooth（登録商標）などの端末間の近距離無線通信であり、端末間無線通信によって、無線の到達範囲内の端末同士は、無線通信を確立させて、直接無線通信を行うことができる。また、互いに無線の到達範囲外に位置する端末同士は、無線通信を確立させることができず、端末間無線通信を行うことができない。
【００８７】
携帯端末２’ｂは、携帯端末２’ａから画像要求信号を受信した場合に限り、イベント通知信号に含まれる発生時刻情報に示されるイベント発生時刻に取得されたイベント画像Ｂを特定し、特定したイベント画像Ｂをサーバ３に送信する（４）。サーバ３は、携帯端末２’ａが送信したイベント画像Ａと、携帯端末２’ｂが送信したイベント画像Ｂとを関連付けて記憶する（５）。
【００８８】
図１２は、第２の実施形態における携帯端末２’の概略構成の一例を示す図である。
【００８９】
携帯端末２’は、図５に示した各部に加えて、さらに近距離無線通信部２１０を備える。近距離無線通信部２１０は、Bluetooth（登録商標）等の通信方式に従った近距離無線通信を行うためのインターフェース回路を有する。携帯端末２’ａの端末時刻情報送信部２９４が、近距離無線通信部２１０を介して通信可能な所定範囲に位置する携帯端末２’ｂを特定し、画像要求信号を携帯端末２’ｂに送信する。
【００９０】
図１３は、第２の実施形態における画像管理システム１’に係る動作シーケンスの一例を示す図である。図１３のステップＳ４０１〜Ｓ３０４の処理は、図１０のステップＳ３０１〜Ｓ３０４の処理と同様であるため、詳細な説明を省略する。
【００９１】
ステップＳ４０４で画像信号をサーバ３に送信すると、携帯端末２’ａの端末時刻情報送信部２９４は、携帯端末特定処理を実行する（ステップＳ４０５）。携帯端末特定処理において、端末時刻情報送信部２９４は、近距離無線通信部２１０を介して通信可能な携帯端末を携帯端末２’ａから所定範囲内に位置する携帯端末として特定する。なお、端末時刻情報送信部２９４は、近距離無線通信部２１０を介して応答要求信号を他の携帯端末に送信し、近距離無線通信部２１０を介して応答信号を受信した場合に、その携帯端末を近距離無線通信部２１０を介して通信可能な携帯端末として特定する。
【００９２】
次に、端末時刻情報送信部２９４は、近距離無線通信部２１０を介して携帯端末２’ａから所定範囲内に位置する携帯端末２’ｂに画像要求信号を送信する（ステップＳ４０６）。画像要求信号には、イベントが発生した旨、発生時刻情報及び携帯端末２ａの電話番号Ａが含まれる。
【００９３】
一方、携帯端末２’ｂの端末時刻情報受信部２９５は、近距離無線通信部２１０を介して携帯端末２’ａから画像要求信号を受信する。端末時刻情報受信部２９５が画像要求信号を受信すると、イベント画像特定部２９６は、画像要求に含まれる発生時刻情報に基づいてイベント開始時刻及びイベント終了時刻を特定し、特定したイベント開始時刻からイベント終了時刻までの端末記憶部２３に記憶された車外画像Ｂをイベント画像Ｂとして特定する（ステップＳ４０７）。
【００９４】
次に、画像送信部２９２は、画像信号を第２無線通信部２２を介してサーバ３に送信する（ステップＳ４０８）。この画像信号には、特定したイベント画像Ｂ、イベント画像Ｂの取得時刻情報、撮影位置情報、イベント画像Ｂを取得した携帯端末２’ｂの電話番号Ｂ及びイベントの発生を検出した携帯端末２’ａの電話番号Ａが含まれる。このように、携帯端末２’ｂの画像送信部２９２は、端末時刻情報受信部２９５がサーバ３から画像要求信号を受信した場合に限り、画像信号をサーバ３に送信する。なお、図１３に示す動作シーケンスでは、ステップＳ４０３及びＳ４０４の後にステップＳ４０５及びＳ４０６が実行されるが、ステップＳ４０３の前にステップＳ４０５及びＳ４０６が実行されるようにしてもよい。これにより、携帯端末２ｂにおいて、サーバ３から画像信号要求を受信する時刻が早くなり、携帯端末２ｂは、時間優先のプロセスで画像信号をサーバ３に送信することが可能となる。
【００９５】
一方、サーバ３の画像受信部３３４は、通信部３１を介して携帯端末２’ｂから画像信号を受信する。画像受信部３３４が画像信号を受信した場合、記憶処理部３３５は、画像信号に含まれるイベント画像、取得時刻情報及びイベント画像を取得した携帯端末の電話番号及びイベントの発生を検出した携帯端末の電話番号を抽出する。記憶処理部３３５は、抽出した取得時刻情報及びイベントの発生を検出した携帯端末の電話番号に基づいて、イベント画像が、イベント発生時刻に、イベント通知信号を送信した携帯端末２’ａが特定した携帯端末２’ｂによって取得されたイベント画像Ｂであるか否かを判定する。これにより、記憶処理部３３５は、イベント画像Ｂを特定する。記憶処理部３３５は、特定したイベント画像Ｂと、携帯端末２’ａによって送信されたイベント画像Ａを互いに関連付けてサーバ記憶部３２に記憶する。
【００９６】
以上説明してきたように、第２の実施形態における画像管理システム１’によっても、サーバ３は、イベントの発生を検出した携帯端末２’ａが撮影した車外画像の他に、携帯端末２’ｂが撮影した車外画像を取得することが可能となる。したがって、サーバ３は、イベントが発生したときに、様々な位置から撮影された画像、及び様々な角度で撮影された画像を取得することができ、車両事故等に関する適切な画像を取得することができる。
【００９７】
また、サーバ３が携帯端末２’ａから所定範囲内に位置する携帯端末２’ｂのイベント画像Ｂのみを、携帯端末２’ａが撮影したイベント画像Ａと関連付けることにより、イベントの発生を検出した携帯端末２’ａの周辺の画像を取得することが可能となる。また、サーバ３は、イベント画像を記憶する処理のみを行うため、サーバ３の処理負荷を低減させることが可能となる。また、携帯端末２’ａは、携帯端末２’ａの近距離無線通信部２１０と通信可能な携帯端末２’ｂを特定するだけで、携帯端末２’ａから所定範囲内に位置する携帯端末２’ｂを簡易に特定することが可能となる。
【００９８】
（第３の実施形態）
【００９９】
図１４は、第３の実施形態における画像管理システム１''の概略を説明するための模式図である。
【０１００】
第３の実施形態における携帯端末２（２ａ，２ｂ）は、撮影した車外画像を定期的にサーバ３に送信する（１）。次に、携帯端末２ａは、イベントの発生を検出し（２）、イベント通知信号を、サーバ３に送信する（３）。
【０１０１】
サーバ３は、イベントの発生を検出した携帯端末２ａによりイベント発生時刻に取得されたイベント画像Ａと、携帯端末２ａから所定範囲内に位置する２ｂによりイベント発生時刻に取得されたイベント画像Ｂを特定し、特定した各イベント画像を関連付けて記憶する（４）。
【０１０２】
図１５は、第３の実施形態における画像管理システム１''に係る動作シーケンスの一例を示す図である。
【０１０３】
携帯端末２ａの画像送信部２９２は、画像取得部２９１が取得した車外画像Ａ、車外画像Ａの取得時刻情報、撮影位置情報、車外画像Ａを取得した携帯端末２’ａの電話番号Ａを含む画像信号を定期的にサーバ３に送信する（ステップＳ５０１）。同様に、携帯端末２ｂの画像送信部２９２は、画像取得部２９１が取得した車外画像Ｂ、車外画像Ｂの取得時刻情報、撮影位置情報、車外画像Ｂを取得した携帯端末２’ｂの電話番号Ｂを含む画像信号を定期的にサーバ３に送信する（ステップＳ５０２）。
【０１０４】
一方、サーバ３の画像受信部３３４は、通信部３１を介して携帯端末２ａ及び携帯端末２ｂから画像信号を受信すると、受信した画像信号に含まれる車外画像、取得時刻情報、撮影位置情報及び電話番号を関連付けてサーバ記憶部３２に逐次記憶する（ステップＳ５０３）。
【０１０５】
次に、携帯端末２ａのイベント検出部２９３は、図１０のステップＳ３０１と同様にして、イベントの発生を検出する（ステップＳ５０４）。
【０１０６】
次に、端末時刻情報送信部２９４は、イベント検出部２９３がイベントの発生を検出した場合、イベント発生時刻を特定し、イベント通知信号を第２無線通信部２２を介してサーバ３に送信する（ステップＳ５０５）。
【０１０７】
一方、サーバ３のサーバ時刻情報受信部３３１は、通信部３１を介して携帯端末２ａからイベント通知信号を受信する。サーバ時刻情報受信部３３１が携帯端末２ａからイベント通知信号を受信した場合、サーバ特定部３３２は、図１０のステップＳ３０５と同様にして、携帯端末特定処理を実行する（ステップＳ５０６）。
【０１０８】
次に、記憶処理部３３５は、イベントの発生を検出した携帯端末２ａによってイベント発生時刻に取得され、サーバ記憶部３２記憶された車外画像Ａをイベント画像Ａとして特定する。さらに、記憶処理部３３５は、携帯端末特定処理で特定された携帯端末２ｂによってイベント発生時刻に取得され、サーバ記憶部３２に記憶された車外画像Ｂをイベント画像Ｂとして特定する（ステップＳ５０７）。
【０１０９】
次に、記憶処理部３３５は、特定したイベント画像Ａ及びイベント画像Ｂを互いに関連付けてサーバ記憶部３２に記憶する（ステップＳ５０８）。
【０１１０】
以上説明してきたように、第３の実施形態における画像管理システム１''によって、サーバ３は、イベントの発生を検出した携帯端末２ａが撮影した車外画像の他に、携帯端末２ｂが撮影した車外画像を取得することが可能となる。したがって、サーバ３は、イベントが発生したときに、様々な位置から撮影された画像、及び様々な角度で撮影された画像を取得することができ、車両事故等に関する適切な画像を取得することができる。
【０１１１】
また、携帯端末２がイベント画像特定処理を行わないため、携帯端末２の処理負荷を低減させることが可能となる。
【０１１２】
なお、本発明は、本実施形態に限定されるものではない。例えば、画像信号には撮影位置情報を含めないようにしてもよい。このように構成することで、携帯端末２とサーバ３の間の通信負荷を低減させることが可能となる。
【０１１３】
また、携帯端末２は、地磁気検出部を備えてもよい。地磁気検出部は、端末処理部２９からの要求に応じて、携帯端末２の向きの方位及び磁気の大きさを検出し、検出した方位及び磁気の大きさを携帯端末２の方位に係るデータとして出力する。この場合、端末処理部２９は、地磁気検出部が出力するデータと携帯端末２のジャイロセンサが出力するデータとを用いて、携帯端末２の撮影部２６の撮影方向を常時算出し、画像信号に含ませる。サーバ３の記憶処理部３３５は、画像信号に含まれる位置情報及び撮影方向に基づいて、イベント画像Ｂの撮影方向とイベント画像Ａの撮影方向が重なるか否かを判定する。記憶処理部３３５は、撮影方向がイベント画像Ａの撮影方向と重なるイベント画像Ｂに限り、イベント画像Ａと関連付けてサーバ記憶部３２に記憶する。このように構成することで、イベントの発生に関連しないイベント画像Ｂを自動的に排除することが可能となる。
【０１１４】
また、携帯端末２は、車両速度検出部を備えてもよい。車両速度検出部は、ＧＰＳ部２８から、常時取得した位置情報及び位置時刻情報に基づいて算出した速度データを車両速度として出力する。この場合、端末処理部２９は、車両速度検出部から出力された車両速度を画像信号に含ませる。サーバ３の記憶処理部３３５は、画像信号に含まれる車両速度が所定閾値以上であるか否かを判定し、車両速度が所定閾値未満であるイベント画像Ｂに限り、イベント画像Ａと関連付けてサーバ記憶部３２に記憶する。このように構成することで、車両速度が速いためにイベントを視認可能に撮影されている可能性の低いイベント画像Ｂを自動的に排除することが可能となる。
【０１１５】
また、画像管理システム１は、携帯端末２ｂに加えて又は携帯端末２ｂの代わりに、道路沿いに設置された道路情報カメラを用いてもよい。この場合、道路情報カメラは、携帯端末２ｂと同様の機能を有する。なお、サーバ３のサーバ時刻情報受信部３３１は、イベント画像Ａの撮影位置情報を道路情報カメラに送信し、道路情報カメラのカメラ制御部（図示せず）は、道路情報カメラの設置位置とイベント画像Ａの撮影位置情報とに基づいて、道路情報カメラの撮影方向を制御してもよい。このように構成することで、より多くのイベント画像を取得することが可能となる。
【０１１６】
また、イベント検出部２９３のイベント検出処理において、加速度検出部２７の出力データの代わりに、音声センサ又は照度センサ等の出力データを用いてもよい。音声センサを用いる場合、イベント検出部２９３は、音声センサが検出した音声の大きさ（音量、サウンドレベル）が所定閾値以上である場合に、携帯端末２の周辺で爆発、衝突音、発砲音等のイベントが発生したと判定する。また、照度センサを用いる場合、照度センサが検知した照度が所定閾値以上である場合に、携帯端末２の周辺で爆発等のイベントが発生したと判定する。このように構成することで、衝突、急減速等の車両の制動に係るイベント以外の様々なイベントの発生を検出することが可能となる。
【０１１７】
また、第１の実施形態において、サーバ３にもイベント判定部を設けてもよい。この場合、サーバ３のイベント判定部は、携帯端末２ａに、常時、接続確認信号を送信し、携帯端末２ａのイベント検出部２９３は、サーバ３から接続確認信号を受信すると、応答信号をサーバ３に送信する。サーバ３のイベント判定部は、接続確認信号を送信して、所定時間以上、応答信号を受信しなかった場合に、携帯端末２ａにイベントが発生したと判定する。このように構成することで、携帯端末２ａを搭載した車両の衝突等により、携帯端末２ａが故障したとしてもイベントの発生を検出することが可能となる。
【０１１８】
なお、携帯端末２ａの端末処理部２９は、操作部２４を介して、ドライブレコーダアプリケーションの終了の指示を受けると、接続確認信号の送信終了の要求をサーバ３に送信する。なお、ドライブレコーダアプリケーションの実行中に携帯端末２ａの電源を切った場合も、端末処理部２９は、接続確認信号の送信終了の要求をサーバ３に送信する。また、サーバ３のイベント判定部は、所定時間以上、応答信号を受信しなかったとしても、基地局から受信した在圏情報に携帯端末２ａの識別情報が無い場合は、携帯端末２ａにイベントが発生したと判定しない。このように構成することで、イベントの誤検出を抑制することが可能となる。
【０１１９】
また、携帯端末２の画像送信部２９２は、撮影位置情報に応じて画像信号をサーバ３に送信しないようにしてもよい。例えば、撮影位置情報に示される位置が事故発生率の低い地域に含まれる場合、画像送信部２９２は、サーバ３に車外画像を送信しない。このように構成することで、サーバ３及びネットワークの負荷を低減させることが可能となる。
【０１２０】
また、携帯端末２の画像送信部２９２は、イベントが発生した時に送信する画像の画質を、定期的に送信する画像の画質よりも高画質にしてもよい。また、画像送信部２９２は、イベントが発生した時に送信する動画像のサンプリング時間を、定期的に送信する動画像のサンプリング時間よりも短くしてもよい。このように構成することで、イベントが発生した時に送信される画像の品質を維持しつつ、通常時のネットワークの通信負荷を低減させることが可能となる。
【０１２１】
当業者は、本発明の精神及び範囲から外れることなく、様々な変更、置換及び修正をこれに加えることが可能であることを理解されたい。
【符号の説明】
【０１２２】
１    画像管理システム
２    携帯端末
２９１    画像取得部
２９２    画像送信部
２９３    イベント検出部
２９４    端末時刻情報送信部
２９５    端末時刻情報受信部
２９６    イベント画像特定部
３    サーバ
３３１    サーバ時刻情報受信部
３３２    サーバ特定部
３３３    サーバ時刻情報送信部
３３４    画像受信部
３３５    記憶処理部
【要約】
【課題】本発明は、イベントが発生した時に、適切な画像を取得することが可能となる画像管理システム等を提供することを目的とする。
【解決手段】本発明に係る画像管理システムは、車両に設置可能な複数の携帯端末とサーバとを有し、複数の携帯端末のそれぞれは、車両の車外画像を取得し、車外画像、取得時刻情報及び車外画像を取得した携帯端末の取得端末識別情報をサーバに送信し、イベントの発生を検出した場合、イベントが発生した時刻を示す発生時刻情報及びイベントの発生を検出した検出端末識別情報をサーバに送信し、サーバは、複数の携帯端末の内、特定の携帯端末から所定範囲内に位置する特定の携帯端末以外の携帯端末を特定し、取得時刻情報及び取得端末識別情報に基づいて、発生時刻情報に示される時刻に、特定の携帯端末によって取得された車外画像、及び、特定した携帯端末によって取得された車外画像を互いに関連付けて記憶する。
【選択図】図１【図１】
0005889463.tif 000002
【図２】
0005889463.tif 000003
【図３】
0005889463.tif 000004
【図４】
0005889463.tif 000005
【図５】
0005889463.tif 000006
【図６】
0005889463.tif 000007
【図７】
0005889463.tif 000008
【図８】
0005889463.tif 000009
【図９】
0005889463.tif 000010
【図１０】
0005889463.tif 000011
【図１１】
0005889463.tif 000012
【図１２】
0005889463.tif 000013
【図１３】
0005889463.tif 000014
【図１４】
0005889463.tif 000015
【図１５】
0005889463.tif 000016